(57)【要約】      （修正有）【課題】売上金の回収時に、実在高と、釣銭機からの回収金額が同じでない場合でも、その理由を簡単に見分けることができる商品販売データ処理装置を提供する。【解決手段】売上データを集計処理するＰＯＳ端末と、ＰＯＳ端末に接続され売上データに基づき入出金を行う釣銭機とを有する商品販売データ処理装置である。ＰＯＳ端末は、釣銭機の貨幣を回収するための指示手段（ステップＳＴ５−１）と、釣銭機の貨幣を回収する際に売上金額と、釣銭機から回収する回収金額との間に差異があるか否かの差異情報を抽出する差異情報抽出手段（ステップＳＴ５−２〜ＳＴ５−５）と、差異情報を出力する出力手段（ステップＳＴ５−６、ＳＴ５−８）と、を有する。差異情報は、売上金額と回収金額との間に差異がある旨の注意喚起表示、または両金額の差額表示である。【選択図】図７
2017010407.tif 000002
【特許請求の範囲】
【請求項１】
接続された釣銭機の貨幣を回収する際に売上データにおける売上金額と、前記釣銭機から回収する回収金額との間に差異があるか否かの差異情報を抽出する差異情報抽出手段と、
前記差異情報を出力する出力手段と、
を有することを特徴とする商品販売データ処理システム。
【請求項２】
前記出力手段は、前記回収金額と前記差異情報とを記録媒体に印刷することを特徴とする請求項１に記載の商品販売データ処理システム。
【請求項３】
前記差異情報は、
前記売上データにおける売上金額と前記釣銭機から回収する回収金額との間に差異がある旨の注意喚起表示、または前記売上データにおける売上金額と前記釣銭機から回収する回収金額の差額表示であることを特徴とする請求項１又は２に記載の商品販売データ処理システム。
【請求項４】
前記差異情報には、少なくとも、前記売上データにおける売上金額と前記釣銭機から回収される回収金額のどちらか一方を更に含むことを特徴とする請求項１又は２又は３に記載の商品販売データ処理システム。
【請求項５】
差異に関連する関連情報を取得する関連情報取得手段を更に有し、
前記差異情報と共に、又は前記差異情報に代えて、この関連情報を前記出力手段から出力することを特徴とする請求項１乃至４の内の何れかに記載の商品販売データ処理システム。
【請求項６】
接続された釣銭機の貨幣を回収する際に売上データにおける売上金額と、前記釣銭機から回収する回収金額との間に差異があるか否かの差異情報を抽出する差異情報抽出手段と、
前記差異情報を出力する出力手段と、
を有することを特徴とする商品販売データ処理装置。
【発明の詳細な説明】
【技術分野】
【０００１】
本発明は、釣銭機をＰＯＳ端末等の精算装置に接続してなる商品販売データ処理システムおよび商品販売データ処理装置に関するものである。
【背景技術】
【０００２】
従来、釣銭機（自動釣札釣銭機）とＰＯＳ端末等の精算装置（会計装置）とを備えた商品販売データ処理装置が利用されている。この種の商品販売データ処理装置は、ＰＯＳ端末（ＰＯＳレジスタ）において客が買い上げる商品の売上登録を行ない、次に釣銭機に対して現金を預けると、この釣銭機から釣銭相当の金銭が自動的に払い出される構成となっている。
【０００３】
そして例えば１日の売上金を回収して売上集計を行う際は、前記釣銭機から１日の売上金を排出させる。同時に、ＰＯＳ端末によって、日計レポートと釣銭回収レシートとを印刷し、回収した売上金の確認作業を行う。
【０００４】
なお、釣銭機からの売上金の回収方法には、釣銭機内に翌日釣準備金を所定金額残して、その他のお金を回収する残値回収と、釣準備金を一旦先に回収し、最後に売上金を回収する売上回収等がある。
【先行技術文献】
【特許文献】
【０００５】
【特許文献１】特許第４８４５８６４号公報
【特許文献２】特許第４０１７１６０号公報
【発明の概要】
【発明が解決しようとする課題】
【０００６】
しかしながら、釣銭機から売上金を回収する際に、下記するような場合は回収金額と売上金額（実在高）が異なっていても良いのであるが、店員によっては回収金額は売上金額と同一であると思い込んでしまい、売上集計時に出た差異のため混乱し、レジ締めに時間が掛かってしまうという問題があった。
【０００７】
回収金額と売上金額に差異が生じるのは、以下のような場合である。
（１）ＰＯＳ端末の手打ち入力（手入力現金キー）で処理したような場合
即ち、貨幣の傷みが激しい等のため、釣銭機によってその貨幣が読み取れなかったような場合は、ＰＯＳ端末で手打ちしてその精算処理を済ませ、その貨幣をドロアーに収納するような場合がある。このような場合は、釣銭機にはその貨幣が収納されないので、前記差異が生じる。
（２）何らかの理由で、釣銭機側の操作のみで入出金した場合
このような場合は、ＰＯＳ端末を介して入出金していないので、ＰＯＳ端末には入出金のデータが入力されず、前記差異が生じる。
（３）釣銭機のトラブルによる精査を行った場合
釣銭機のトラブルによって、釣銭機自身が内部の貨幣を数え直すという精査を行うときに、痛んだ貨幣が判読不能となり（なお、入金時は判読できた）、これを吐き出してしまうような場合がある。このような場合も、釣銭機にはその貨幣が再収納されないので、前記差異が生じる。
【０００８】
本発明は上述の点に鑑みてなされたものでありその目的は、釣銭機からの売上金の回収時に、この回収金額と実在高とが同一でない場合に、その理由を簡単に見分けることができる商品販売データ処理システムおよび商品販売データ処理装置を提供することにある。
【課題を解決するための手段】
【０００９】
本発明は、接続された釣銭機の貨幣を回収する際に売上データにおける売上金額と、前記釣銭機から回収する回収金額との間に差異があるか否かの差異情報を抽出する差異情報抽出手段と、前記差異情報を出力する出力手段と、を有する商品販売データ処理システムにある。
本発明によれば、売上金額（実在高）と、釣銭機からの回収金額とが同じでない場合に、差異情報を確認することで、その理由を容易に見分けることができる。
【００１０】
また本発明は、前記出力手段が、前記回収金額と前記差異情報とを記録媒体に印刷することを特徴としている。
これによって、回収金額と差異情報とを明確に認識することができる。
【００１１】
また本発明は、前記差異情報が、前記売上データにおける売上金額と前記釣銭機から回収する回収金額との間に差異がある旨の注意喚起表示、または前記売上データにおける売上金額と前記釣銭機から回収する回収金額の差額表示であることを特徴としている。
注意喚起表示を行えば、差異があることを明確に報知することができる。また差額表示を行えば、売上金額と回収金額の間に生じている金額の差異を容易に確認することができる。注意喚起表示と差額表示は、同時に表示しても良い。
注意喚起表示としては、例えば「売上金額と回収金額が一致していません。」のような注意を喚起するメッセージが考えられる。また差額表示としては、「差額  −\□□□」や、「回収金額差分情報  差額−\□□□」等の表示が考えられる。
【００１２】
また本発明は、前記差異情報に、少なくとも、前記売上データにおける売上金額と前記釣銭機から回収される回収金額のどちらか一方を更に含むことを特徴としている。
これによって、売上金額や回収金額の確認も、合わせて行うことができる。
例えば、これらの表示を前記差額表示と共に行う場合は、「回収金額差分情報  現金売上  \○，○○○、差額−\□□□」や、「売上金額  \○，○○○、回収金額  \△，△△△、差額  −\□□□」等の表示が考えられる。
【００１３】
また本発明は、差異に関連する関連情報を取得する関連情報取得手段を更に有し、前記差異情報と共に、又は前記差異情報に代えて、この関連情報を前記出力手段から出力することを特徴としている。
関連情報とは、前記差異が発生したことの原因（理由）に関する情報である。関連情報は、前記釣銭機に問い合わせを行なうことで取得したり、過去の処理を検索することで取得したりする。
これによって、差異が生じた理由をさらに容易に認識することができる。
出力の内容は、例えば、釣銭機に問い合わせを行なった場合の「釣銭機での出金があります。」や、過去の処理を検索した場合の「手入力現金処理が行われています。」等である。
【００１４】
また本発明は、接続された釣銭機の貨幣を回収する際に売上データにおける売上金額と、前記釣銭機から回収する回収金額との間に差異があるか否かの差異情報を抽出する差異情報抽出手段と、前記差異情報を出力する出力手段と、を有する商品販売データ処理装置にある。
本発明によれば、売上金額（実在高）と、釣銭機からの回収金額とが同じでない場合に、差異情報を確認することで、その理由を容易に見分けることができる。
【発明の効果】
【００１５】
本発明によれば、釣銭機からの売上金の回収時に、この回収金額と実在高とが同一でない場合に、その理由を簡単に見分けることができる。
【図面の簡単な説明】
【００１６】
【図１】ＰＯＳシステム１００のシステム構成図である。
【図２】商品販売データ処理装置１の一構成例を示すブロック図である。
【図３】釣銭機５０の機能構成図である。
【図４】釣銭機５０における入出金処理手順をＰＯＳ端末１０との関係で示す概略処理フロー図である。
【図５】入金処理の概略フロー図である。
【図６】釣銭機５０単体での入出金処理の概略フロー図である。
【図７】釣銭機５０から売上金を回収する際のＰＯＳ端末１０における処理手順を示す概略フロー図である。
【図８】釣銭機回収レシート２０１を示す図である。
【図９】釣銭機回収レシート２０３を示す図である。
【図１０】釣銭機回収レシート２０５を示す図である。
【図１１】釣銭機回収レシート２０７を示す図である。
【図１２】日計レポート２１１を示す図である。
【発明を実施するための形態】
【００１７】
以下、本発明の実施形態を図面を参照して詳細に説明する。
図１は本発明の一実施形態にかかる商品販売データ処理装置１を有するＰＯＳシステム１００のシステム構成図である。同図に示すように、ＰＯＳシステム１００は、管理装置１１０と、複数台の商品販売データ処理装置１とをＬＡＮ２１０によって接続して構成されている。管理装置１１０は、ネットワーク１３０を介して、図示しない上位コンピュータ（本部の管理装置等）に接続されている。また商品販売データ処理装置１は、ＰＯＳ端末（データ処理部）１０と釣銭機（自動釣銭釣札機）５０とを、データ通信可能に接続して構成されている。
【００１８】
図２は、商品販売データ処理装置１の一構成例を示すブロック図である。同図に示すように、商品販売データ処理装置１のＰＯＳ端末（データ処理部）１０は、ＣＰＵ１１と、ＲＯＭ１３と、ＲＡＭ１５と、表示兼操作部（以下「タッチパネル」という）１７と、客側表示部１９と、印字部２１と、キー操作部２３と、スキャナ部２５と、通信部２７とを有し、これらをバス２９によって接続して構成されている。なお、ＰＯＳ端末１０は、実際には、さらにカード決済に用いるカードリーダライタ等を有するが、この実施形態では、説明の簡素化のため、現金での精算処理のみについて説明する。
【００１９】
ＣＰＵ１１は、ＲＯＭ１３に記憶されているプログラムを実行することで、ＰＯＳ端末１０の各種動作を制御する。ＲＯＭ１３は、ＣＰＵ１１が実行するプログラム等を記憶する。ＲＡＭ１５は、ＣＰＵ１１が利用する各種データを記憶し、ＣＰＵ１１の作業領域として利用される。
【００２０】
タッチパネル１７は、所定の操作画面を表示する表示手段であり、またタッチ操作が行われるのに応じてそのタッチされた位置情報を出力する操作手段でもある。ＣＰＵ１１は、この位置情報を操作情報として処理し、これによってタッチパネル１７に対するタッチ操作に応答し動作が行われる。客側表示部１９には、客に対して提示すべき情報、例えば買上金額や、釣銭の金額等が表示される。
【００２１】
印字部２１は、取引毎に応じて、買上商品、預かり金及び釣銭等の取引に関連する項目を用紙に印字し、レシートとして発行する。また印字部２１は、一日の売上金を集計、回収する際に必要な、下記する日計レポート２１１や、釣銭機回収レシート２０１〜２０７等の発行も行う。
【００２２】
キー操作部２３は、テンキー、合計キー、手入力現金キー、売上回収キー、商品登録に関する各種キー等が設けられ、これらキーを操作することで、ＣＰＵ１１に操作信号が出力される。ＣＰＵ１１は、入力した操作信号に応じた処理を行う。スキャナ部２５は、商品のバーコードからその商品の各種情報を読み出す。通信部２７は、ドロアー３１や釣銭機５０（その通信部５９）と通信可能に接続されている。
【００２３】
釣銭機５０は、ＣＰＵ５１と、ＲＯＭ５３と、ＲＡＭ５５と、ソレノイド制御部５７と、通信部５９と、モータ制御部６１と、センサ制御部６３とを、バス６５によって接続して構成されている。
【００２４】
ＣＰＵ５１は、ＲＯＭ５３に記憶されているプログラムを実行することで、釣銭機５０の各種動作を制御する。ＲＯＭ５３は、ＣＰＵ５１が実行するプログラム等を記憶する。ＲＡＭ５５は、ＣＰＵ５１が利用する各種データを記憶し、ＣＰＵ５１の作業領域として利用される。
【００２５】
ソレノイド制御部５７は、釣銭機５０を駆動操作するための各種ソレノイド６７を制御する。通信部５９は、前記通信部２７と相互通信を行う。モータ制御部６１は、釣銭機５０を駆動制御するための各種モータ６８を制御する。センサ制御部６３は、釣銭機５０を駆動制御するための各種センサ６９を制御する。モータ６８は、釣銭機５０の内部において、貨幣の搬送等に用いられる。ソレノイド６７は、硬貨の払出し動作等に用いられる。センサ６９は、貨幣の検出等に用いられる。
【００２６】
図３は、釣銭機５０の機能構成図である。同図に示すように、釣銭機５０は、制御部７１と、貨幣収納部７３と、搬送部７５と、紙幣投入部７７と、硬貨投入部７９と、紙幣払出部８１と、硬貨払出部８３とを具備して構成されている。
【００２７】
制御部７１は、前記ＣＰＵ５１とＲＯＭ５３とＲＡＭ５５等からなり、前記ソレノイド制御部５７、モータ制御部６１、センサ制御部６３等を制御することで、この釣銭機５０を駆動制御する。また前述のように、制御部７１は前記ＰＯＳ端末１０と通信を行う。
【００２８】
貨幣収納部７３は、搬送部７５から搬送されてきた紙幣と硬貨を、それぞれ金種別に格納する。搬送部７５は、貨幣（紙幣と硬貨）を搬送する機構である。搬送部７５は、入金のため紙幣投入部７７に投入された紙幣と、入金のため硬貨投入部７９に投入された硬貨を、それぞれ貨幣収納部７３に搬送する。また搬送部７５は、出金（お釣又は回収のための出金、以下同様）のため制御部７１により指定された金種及び枚数の紙幣を貨幣収納部７３から紙幣払出部８１に搬送し、また、制御部７１により指定された金種及び枚数の硬貨を貨幣収納部７３から硬貨払出部８３に搬送する。
【００２９】
搬送部７５は、入金金種内訳検出部７５１と出金金種内訳検出部７５３とを備える。入金金種内訳検出部７５１は、預かり金として入金された現金の入金金種内訳を検出する。つまり、入金金種内訳検出部７５１は、紙幣投入部７７と硬貨投入部７９に投入（入金）された紙幣と硬貨毎の金種と、金種毎の枚数を検出する。そして制御部７１は、この検出結果を示す入金金種内訳情報を生成し、ＲＡＭ５５に記憶し、またＰＯＳ端末１０にその情報を送信する。
【００３０】
制御部７１は、上記預かり金として入金された金額と、ＰＯＳ端末１０から通知された買上金額に基づいて釣銭の金額を算出し、算出された釣銭を出金するにあたり、その金種毎の枚数を決定し、搬送部７５に通知する。搬送部７５は、通知された金種と金種毎の枚数に従って、貨幣収納部７３から貨幣（紙幣、硬貨）を搬送し、紙幣払出部８１や硬貨払出部８３から排出する。
【００３１】
その際、出金金種内訳検出部７５３は、貨幣収納部７３から紙幣払出部８１と硬貨払出部８３に搬送された紙幣と硬貨のそれぞれについて、その金種と金種毎の枚数を検出する。そして制御部７１は、この検出結果を示す出金金種内訳情報を生成し、ＲＡＭ５５に記憶し、またＰＯＳ端末１０に送信する。
【００３２】
また釣銭機５０は、ＰＯＳ端末１０からの指令に基づかないで、釣銭機５０に対する単独操作でも釣銭機５０内から貨幣を取り出せる構成となっており、そのような釣銭機単独操作による貨幣の取り出しや収納があった場合、制御部７１は、前記取り出しや収納があった旨と、その金額及び金種毎の枚数をＲＡＭ５５に記憶させる。
【００３３】
図４は、釣銭機５０における入出金処理手順を、ＰＯＳ端末１０との関係で示す概略処理フロー図である。同図に示すように、釣銭機５０は、ＰＯＳ端末１０において商品の登録が完了して買上情報が釣銭機５０に送信される（ステップＳＴ１−１）のに応じて、この買上情報を受信する（ステップＳＴ２−１）。買上情報には、今回の取引における買上金額が示されている。
【００３４】
次に、制御部７１（ＣＰＵ５１、以下同様）は、紙幣投入部７７と硬貨投入部７９からの入金処理を行う（ステップＳＴ２−２）。なお上記入金処理の途中において、紙幣投入部７７や硬貨投入部７９から預かり金を入金しようとした際に、紙幣や硬貨の劣化等によって、その金種が読み込めず、これら投入部７７，７９に投入できなかった（吸い込めなかった）ような場合は、吸い込めなかった貨幣については、その金額をＰＯＳ端末１０のキー操作部２３やタッチパネル１７から店員が手打ちで入力し、その貨幣は、例えばドロアー３１に入れておく。このとき、ＰＯＳ端末１０は、ステップＳＴ１−２に示すように、手入力入金情報を釣銭機５０に送信すると共に、ＲＡＭ１５には、この会計処理において、釣銭機５０に貨幣が投入されなかった旨及びその金額及び金種を、関連情報（データ処理部側関連情報）として別途記憶する。
【００３５】
図５は、この入金処理（ステップＳＴ２−２）の概略フロー図である。同図に示すように、制御部７１は、紙幣投入部７７又は硬貨投入部７９からの入金を検出したら（ステップＳＴ３−１）、これら入金を加算していく（ステップＳＴ３−２）。また、前記ステップＳＴ１−２からの手入力入金情報が釣銭機５０に入力されると、ステップＳＴ３−３、ステップＳＴ３−４において、その入金額が更に加算される。そして入金合計金額が買上金額と同一又はこれを越えた場合（ステップＳＴ３−５）は、入金額をＰＯＳ端末１０に通知すると共に、図４に示す次のステップＳＴ２−３に移行する。一方、全ての預かり金の入金が完了してその入金額をＰＯＳ端末１０が受信（ステップＳＴ１−３）すると、ＣＰＵ１１は、上記買上情報において示される買上金額と、上記預かり金の入金合計金額とに基づいて釣銭が必要か否かを判定する（ステップＳＴ１−４）。そして、釣銭が必要と判断した場合は、ＣＰＵ１１は釣銭機５０に出力指示を行い（ステップＳＴ１−５）、制御部７１は、釣銭の出金処理を行う（ステップＳＴ２−３，ＳＴ２−４）。つまり、ＣＰＵ１１は、上記買上金額と入金合計金額との差分に基づいて釣銭の金額を算出し、その出金を指示する。そして、制御部７１は、その釣銭を出金するにあたっての出金金種の内訳を決定し、決定された出金金種の内訳に従って紙幣払出部８１と硬貨払出部８３から紙幣と硬貨が排出されるように搬送部７５を駆動制御する。なお、出金金種の内訳の決定はＣＰＵ１１において行い、これを出金指示に合わせて釣銭機５０に指示しても良い。
【００３６】
一方、ＣＰＵ１１が、ステップＳＴ１−４において釣銭が必要ないと判定して釣銭機５０に出金不要指示を行った場合（ステップＳＴ１−６）、または上記ステップＳＴ２−４による処理が終了した場合は、制御部７１は、今回の取引にかかる会計処理が終了した旨を示す会計終了通知を、ＰＯＳ端末１０に対して送信する（ステップＳＴ２−５）。
【００３７】
一方、ＰＯＳ端末１０は、釣銭機５０から会計終了通知を受信すると（ステップＳＴ１−７）、そのＣＰＵ１１が、会計終了処理を実行する（ステップＳＴ１−８）。会計終了処理としては、例えば、今回の取引の内容をＲＡＭ１５に記録する処理や、取引内容を印刷したレシートを発行する処理等がある。
【００３８】
ところで、釣銭機５０においては、上記図４に示すＰＯＳ端末１０からの指示ではなく（つまりＰＯＳ端末１０から買上情報を受信しないで）、釣銭機５０単体で、貨幣の入出金を行う場合がある。図６は、釣銭機５０単体での入出金処理の概略フロー図である。同図に示すように、釣銭機５０を単独操作することで、単独で釣銭機５０の入出金処理を行った際は（ステップＳＴ４−１）、その単独入出金情報をＲＡＭ５５に記録する（ステップＳＴ４−２）。単独入出金情報には、少なくとも入出金した金額の情報を含み、さらには入出金した金種や時間やその他の情報を含んでも良い。この単独入出金情報は関連情報（釣銭機側関連情報）となる。
【００３９】
図７は、例えば１日の業務が終了し、釣銭機５０から売上金を回収する際のＰＯＳ端末１０における処理手順を示す概略フロー図である。なおこの例においては、残値回収を行うこととし、ＰＯＳ端末１０の起動時は５０，０００円を釣銭機５０に釣準備金（前日の残値分）として予め残してあり、また１日の売上金額は１０，８００円であったとする。
【００４０】
同図に示すように、ＰＯＳ端末１０は、例えばそのキー操作部２３の売上回収キーが押下されて売上回収指示を受けると（ステップＳＴ５−１）、ＣＰＵ１１は、ＲＡＭ１５に記憶している売上データと関連情報（データ処理部側関連情報）とを取得する（ステップＳＴ５−２）。売上データには、日計レポートに必要な各種のデータ（そのＰＯＳ端末１０における一日の総売上、理論在高合計、税額合計等）が含まれる。また、関連情報としては、前記図４のステップＳＴ１−２において記録したデータ処理部側関連情報（釣銭機５０に貨幣が投入されなかった旨及びその金額等）が含まれる。
【００４１】
次に、ＣＰＵ１１は、釣銭機５０に問い合わせを行い、釣銭機５０から回収データと関連情報（釣銭機側関連情報）とを取り込む（ステップＳＴ５−３）。回収データには、釣銭機５０において貨幣を回収した際の各種データ（回収金の回収金額、金種と枚数、この例の場合は残値回収を行っているので、回収後に釣銭機５０に残した残値金額や金種の枚数等のデータ）が含まれる。また、関連情報としては、例えば、前記図６のステップＳＴ４−２において記録した釣銭機側関連情報（単独入出金情報等）が含まれる。
【００４２】
次に、ＣＰＵ１１は、前記取得した売上金額と回収金額とを比較し、両者が一致するか、相違するかを判断する（ステップＳＴ５−４）。そして一致する場合は、ステップＳＴ５−８に移行して、前記回収データを、図８に示すような釣銭機回収レシート２０１として印字部２１から出力する。図８に示すように、釣銭機回収レシート２０１には、回収した金種毎の明細ａ１と、回収後の釣銭機５０内の金種毎の明細ａ２と、釣銭機５０内にあるカセット内金額（主に万券用）ａ３と、釣銭機５０に指示した回収金額ａ４と、釣銭機５０から実際に回収した金額ａ５と、売上回収後の釣銭機５０の合計金額ａ６とが表示される。即ち、釣銭回収によって、釣銭機５０から排出する回収金の金種と枚数と回収金額の他、この例の場合は残値回収を行っているので、釣銭機５０に残す金種の枚数と、回収後に釣銭機５０に残す残値金額とを印字して報知している。即ち、図８に示す例の場合は、回収金額は１０，８００円であり、また残値金額は５０，０００円であることが印字されている。このとき同時に、タッチパネル１７の画面にも上記釣銭機回収レシート２０１に印字した内容が表示されその内容が報知される。なお、以下の釣銭機回収レシート２０３〜２０７においても、同様にタッチパネル１７の画面にこれらの内容が表示され報知される。
【００４３】
次に、ステップＳＴ５−４において、前記取得した売上金額と回収金額とが相違する場合は、ステップＳＴ５−５に移行し、差異があることを示す差異情報を抽出する。この例の場合は、客からの預かり金の一部（千円札１枚）が釣銭機５０に吸い込めず、前記図４のステップ１−２において、その金額（一千円）をＰＯＳ端末１０のキー操作部２３やタッチパネル１７から店員が手打ちで入力し、その貨幣（千円札１枚）を、ドロアー３１に入れておくことで差異が生じているものとする。差異情報としては、例えば、前記売上金額と回収金額との間に差異がある旨の注意喚起表示の情報や、または前記売上金額と回収金額の差額表示の情報等である。注意喚起表示の情報の取得は、例えば予めＲＡＭ１５に記憶しておいた「売上金額と回収金額が一致していません。」等の情報を読み取ることによって行う。さらに、差異情報には、少なくとも、売上金額と回収金額のどちらか一方の情報を更に含めても良い。
【００４４】
そして、前記回収データと差異情報とを、図９に示すような釣銭機回収レシート２０３として印字部２１から出力する（ステップＳＴ５−６）。釣銭機回収レシート２０３には、前記図８に示す釣銭機回収レシート２０１で印字したのと同様の印字（但し、千円札一枚が回収されないので、千円分だけ金種の枚数や回収金額の数字は異なっている）を行う上に、更に、差異情報ａ７を印字して報知している。即ち、図９に示す例の場合は、回収金額は９，８００円であり、またその下部には、「売上金額と回収金額が一致していません。」という注意喚起表示としての差異情報ａ７を印字している。なお、差異情報ａ７の代りに関連情報ａ８として、例えば図１０に示す釣銭機回収レシート２０５のように、「手入力現金が使われています。」等の他の表示でも良い。また注意喚起表示の代りに、売上金額と回収金額の差額表示としての差異情報ａ９として、例えば図１１に示す釣銭機回収レシート２０７のように、「売上金額\１０，８００ 回収金額\９，８００ 差額−\１，０００」という表示等を行っても良い。また差額表示としての差異情報ａ９としては、その他にも、「差額−\１，０００」という表示や「回収金額差分情報  差額−\１，０００」という表示等を行っても良い。
【００４５】
そして次に、釣銭機５０から、上記釣銭機回収レシート２０３（２０５，２０７）に印字した金種の回収金を、紙幣払出部８１と硬貨払出部８３から払い出す（ステップＳＴ５−７）。これによって、釣銭機５０からの売上金の回収作業が終了する。
【００４６】
一方、ＰＯＳ端末１０のキー操作部２３やタッチパネル１７を操作することによって、ＰＯＳ端末１０に売上レポート発行指示を行うと、印字部２１から図１２に示すような日計レポート２１１が印字出力される。日計レポート２１１には、その日一日の売上高ａ１０や理論現金在高ａ１２等と併せて、釣銭機５０から回収される売上回収合計ａ１１も印字されている。なお、この日計レポート２１１においては、釣銭機５０での回収金額が９，８００円の場合を示している。
【００４７】
そして、店員は、釣銭機５０から回収した回収金と、印字発行された釣銭機回収レシート２０１〜２０７及び日計レポート２１１とを用いて、売上金のチェックを行う。即ち、売上金額（実在高）と回収金額とが同一の場合（釣銭機回収レシート２０１の場合）は、これら売上金額，回収金額と、実際の回収金とが同一になれば、そのチェックが完了する。
【００４８】
一方、売上金額（実在高）と回収金額とが異なる場合（釣銭機回収レシート２０３〜２０７の場合）は、売上金額よりも回収金額の方が少なくなるが、両者が異なることは、釣銭機回収レシート２０３〜２０７の下部に、差異情報ａ７，ａ９又は関連情報ａ８として、その旨の記載がなされているので、差異情報ａ７，ａ９又は関連情報ａ８を確認することで、その理由を容易に見分けることができる。従って、迷うことなく、回収金額のチェックを行うことができる。更に具体的に言えば、釣銭機回収レシート２０３のように、差異情報ａ７として注意喚起表示を行えば、差異があることを明確に報知することができる。また釣銭機回収レシート２０５のように、差異情報に代えて、関連情報ａ８を表示すれば、差異が生じた理由を容易に認識することができる。また釣銭機回収レシート２０７のように、差異情報ａ９として差額表示を行えば、売上金額と回収金額の間に生じている金額の差異を容易に確認することができる。また上記釣銭機回収レシート２０７では、差額の他に、売上金額と回収金額の両者も表示しているので、売上金額や回収金額の確認も合わせて行うことができる。なお売上金額と回収金額は、どちらか一方のみを表示しても良い。上記注意喚起表示、関連情報、差額表示は、これらを同時に表示（併記）すれば、差異があることや差異がある理由や差異金額を同時に容易に確認することができ、好適である。
【００４９】
以上説明したように、上記商品販売データ処理装置１によれば、ＰＯＳ端末（データ処理部）１０が、釣銭機５０の貨幣を回収するための指示手段（図７のステップＳＴ５−１を実行するＣＰＵ１１等）と、釣銭機５０の貨幣を回収する際に売上データにおける売上金額と、釣銭機５０から回収する回収金額との間に差異があるか否かの差異情報を抽出する差異情報抽出手段（ステップＳＴ５−２〜ＳＴ５−５を実行するＣＰＵ１１等）と、前記差異情報を出力する出力手段（ステップＳＴ５−６、ＳＴ５−８を実行するＣＰＵ１１や印字部２１等）と、を有するので、売上金の回収時に、実在高と、釣銭機５０からの回収金額が同じでない場合でも、その理由を簡単に見分けることができる。
【００５０】
また上記ＰＯＳ端末１０は更に、差異に関連する関連情報を取得する関連情報取得手段（ステップＳＴ５−２、ＳＴ５−３を実行するＣＰＵ１１等）を有し、前記差異情報と共に、又は前記差異情報に代えて、この関連情報を前記出力手段から出力するので、更に、差異が生じた理由を容易に認識することができる。
【００５１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記実施形態では、売上金額と回収金額とに差異がある場合に、差異情報を出力するように構成したが、差異がない場合にも差異情報（差異がない旨の情報）を出力するように構成しても良い。例えば「売上金額と回収金額は一致しています。」等の表示である。また上記例では、残値回収を行う場合について説明したが、本発明は売上回収を行う場合に適用してもよい。また本発明は、登録装置となるＰＯＳ端末と、精算装置となる釣銭機が離れた位置にある商品販売データ処理システムでも、また店員がＰＯＳ端末によって商品登録し、顧客が釣銭機によって精算を行う対面型の商品販売データ処理システムでも、さらにその他の形態の商品販売データ処理システムでも、適用することができる。また釣銭機５０への売上回収の指示は、上位装置（例えば管理装置や、釣銭機の状態等を監視している店員が閲覧可能な店員用端末やサーバ装置）から行うように構成しても良い。
【符号の説明】
【００５２】
１００  ＰＯＳシステム                  １１０  管理装置
１３０  ネットワーク                    ２１０  ＬＡＮ
１  商品販売データ処理装置              １０  ＰＯＳ端末（データ処理部）
１１  ＣＰＵ                            １３  ＲＯＭ
１５  ＲＡＭ                            １７  タッチパネル（表示兼操作部）
１９  客側表示部                        ２１  印字部
２３  キー操作部                        ２５  スキャナ部
２７  通信部                            ２９  バス
３１  ドロアー                          ５０  釣銭機（自動釣銭釣札機）
５１  ＣＰＵ                            ５３  ＲＯＭ
５５  ＲＡＭ                            ５７  ソレノイド制御部
５９  通信部                            ６１  モータ制御部
６３  センサ制御部                      ６５  バス
６７  各種ソレノイド                    ６８  各種モータ
６９  各種センサ                        ７１  制御部
７３  貨幣収納部                        ７５  搬送部
７５１  入金金種内訳検出部              ７５３  出金金種内訳検出部
７７  紙幣投入部                        ７９  硬貨投入部
８１  紙幣払出部                        ８３  硬貨払出部
２０１  釣銭機回収レシート              ２０３  釣銭機回収レシート
２０５  釣銭機回収レシート              ２０７  釣銭機回収レシート
２１１  日計レポート                    ａ１  明細
ａ２  明細                              ａ３  カセット内金額
ａ４  回収金額                          ａ５  金額
ａ６  合計金額                          ａ７  差異情報
ａ８  関連情報                          ａ９  差異情報
ａ１０  売上高                          ａ１１  売上回収合計
ａ１２  理論現金在高
【図１】
2017010407.tif 000003
【図２】
2017010407.tif 000004
【図３】
2017010407.tif 000005
【図４】
2017010407.tif 000006
【図５】
2017010407.tif 000007
【図６】
2017010407.tif 000008
【図７】
2017010407.tif 000009
【図８】
2017010407.tif 000010
【図９】
2017010407.tif 000011
【図１０】
2017010407.tif 000012
【図１１】
2017010407.tif 000013
【図１２】
2017010407.tif 000014